(57)【要約】【課題】  従来の電子機器では、電子機器本体の開口部又は凹部に取り付けられたカバープレートを取り外すには、その電子機器本体を分解しなければならず、作業が煩雑となって作業性が悪いという問題があった。【解決手段】  テレビ本体２の凹部３１を覆うカバープレート４と、カバープレート４を凹部３１に着脱可能に係合させるためそのカバープレート４に設けた複数の係合片３９と、カバープレート４を把持するためそのカバープレート４に設けた把持部３６，３６と、カバープレート４の少なくとも把持部３６，３６を覆う弾性を有するネット部材４３と、を設け、ネット部材４３を弾性変形させて把持部３６，３６を把持することによりカバープレート４を凹部３１から取り外し可能とした。【選択図】  図６
2007074570.tif 000002
【特許請求の範囲】
【請求項１】
電子機器本体の開口部又は凹部を覆うカバープレートと、
前記カバープレートを前記開口部又は凹部に着脱可能に係合させるため当該カバープレートに設けた複数の係合片と、
前記カバープレートを把持するため当該カバープレートに設けた把持部と、
前記カバープレートの少なくとも前記把持部を覆う弾性を有するネット部材と、を設け、
前記ネット部材を弾性変形させて前記把持部を把持することにより前記カバープレートを前記開口部又は凹部から取り外し可能としたことを特徴とする電子機器。
【請求項２】
前記電子機器本体に設けたフレーム及び前記カバープレートの一方には、前記開口部又は凹部に対する前記カバープレートの位置決めをなすボス部を設けると共に、他方には、前記ボス部が着脱可能に嵌合されるボス穴を設けたことを特徴とする請求項１記載の電子機器。
【請求項３】
前記ボス部及び前記ボス穴の周囲の材質を、一方の弾性よりも他方の弾性を大きくし、両者に弾性の違いを持たせて結合するようにしたことを特徴とする請求項２記載の電子機器。
【請求項４】
前記カバープレートは長尺状の可撓性を有する板材からなり、当該カバープレートの長手方向の両端部に前記係合片を設け、
前記カバープレートに見合う大きさを有する開口部又は凹部を前記電子機器本体のパネル部材に設けると共に、当該開口部又は凹部には前記係合片が着脱可能に係合される係合穴を設け、
前記ボス部及びボス穴は、前記カバープレートの長手方向の中間部に設けたことを特徴とする請求項１記載の電子機器。
【請求項５】
前記把持部は、前記ボス部の近傍に１以上の開口部を設けて形成したことを特徴とする請求項１記載の電子機器。
【請求項６】
前記把持部は、前記ボス部の近傍に１以上の凹陥部を設けて形成したことを特徴とする請求項１記載の電子機器。
【請求項７】
前記係合片は、前記カバープレートに立設された弾性を有するアーム部と、前記アーム部から側方へ突出するように形成されると共に前記開口部又は前記係合穴に着脱可能に係合される爪部と、からならなり、
前記爪部には、前記アーム部の基部側から先端側に向かって順次大きくなるように傾斜した内側斜面部を設けたことを特徴とする請求項４記載の電子機器。
【請求項８】
前記爪部の前記把持部側の側面には、先端側に向かって順次小さくなるように傾斜した側面斜面部を設けたことを特徴とする請求項７記載の電子機器。
【発明の詳細な説明】
【技術分野】
【０００１】
本発明は、機器本体にカバープレートが着脱可能に装着される電子機器に関し、特に、カバープレートの把持部が弾性を有するネット部材によって覆われた電子機器に関するものである。
【背景技術】
【０００２】
従来の、この種の電子機器としては、例えば、特許文献１に記載されているようなものがある。特許文献１には、スピーカの前面に設けられるネット付スピーカグリルに関するものが記載されている。この特許文献１に記載されたネット付スピーカグリルは、「スピーカグリルの周縁が周辺部材と当接される部分にネット端部が適宜な張力を与えられて巻き込み・固定され、ネット端部に形成された空間部を介してスピーカグリルの周縁が周辺部材と当接される」ことを特徴としている。
【０００３】
このような構成を有するネット付きスピーカグリルによれば、「異音発生を防ぐための別部材が不要となり、コストが低減され、また、隙間を設ける等の措置が不要となるので、密着した外観デザインが容易に実現される」という効果が期待される。
【０００４】
しかしながら、上述したような特許文献１に記載されたネット付きスピーカグリルにおいては、スピーカ本体が内蔵されるボックス（電子機器本体）の内側から取付ねじによって固定される構成となっていた。そのため、スピーカグリルをボックスから取り外すには、そのボックスを分解して内側から取付ねじを取り外さなければならなかった。その結果、スピーカグリルの修理や交換等を行う際、多数の取付ねじの取り外し作業が必要となることから、作業が煩雑となって作業性が悪いという問題があった。
【特許文献１】特開平５−７６０９１号公報
【発明の開示】
【発明が解決しようとする課題】
【０００５】
解決しようとする問題点は、従来の電子機器では、カバープレートを電子機器本体から取り外すには、その電子機器本体を分解しなければならず、カバープレートの修理や交換を行う際に、作業が煩雑となって作業性が悪いという点である。
【課題を解決するための手段】
【０００６】
本発明の電子機器は、電子機器本体の開口部又は凹部を覆うカバープレートと、カバープレートを開口部又は凹部に着脱可能に係合させるためそのカバープレートに設けた複数の係合片と、カバープレートを把持するためそのカバープレートに設けた把持部と、カバープレートの少なくとも把持部を覆う弾性を有するネット部材と、を設け、ネット部材を弾性変形させて把持部を把持することによりカバープレートを開口部又は凹部から取り外し可能としたことを最も主要な特徴とする。
【発明の効果】
【０００７】
本発明の電子機器によれば、弾性を有するネット部材によって覆われた把持部を、そのネット部材の上から把持して引っ張るだけで、簡単にカバープレートを取り外すことができ、そのカバープレートの修理や交換等の作業工数を大幅に削減することができる。
【発明を実施するための最良の形態】
【０００８】
通常はネット部材によって隠れて見えない把持部をネット部材の上から把持して引っ張るだけで、極めて容易にカバープレートの取り外しを行うことができる電子機器を、簡単な構造によって実現した。
【０００９】
図１〜図１１は、本発明の実施の形態を示すものである。即ち、図１及び図２は本発明の電子機器の一実施例であるプラズマディスプレイ装置を示すもので、図１は正面側から見た斜視図、図２はプラズマディスプレイ装置を分解して背面側から見た斜視図、図３〜図１１は図１及び図２に示すプラズマディスプレイ装置の要部を示すもので、図３はカバープレートの一具体例を示す正面図、図４は背面図、図５は右側面図、図６は正面側から見た斜視図、図７はカバープレートの係合片を拡大して示す斜視図、図８はプラズマディスプレイ装置に設けたボス穴を示す説明図、図９はプラズマディスプレイ装置のボス穴にカバープレートのボス部が嵌合した状態を示す断面図、図１０はプラズマディスプレイ装置の係合穴にスピーカグリルの係合片が係合した状態を示す断面図、図１１は図１０の状態を背面側から見た説明図である。
【００１０】
図１及び図２に示すように、本発明の電子機器の第１の実施の例として示すプラズマディスプレイ装置は、プラズマディスプレイテレビ１である。このプラズマディスプレイテレビ１は、テレビジョン受像機として画像を表示するものであり、いわゆる薄型の画像表示装置である。しかしながら、プラズマディスプレイ装置としては、このプラズマディスプレイテレビ１に限定されるものではなく、例えば、外部からの入力に基づいてビデオ映像等を表示することができるもの等であってもよいことは勿論である。
【００１１】
このプラズマディスプレイテレビ１は、電子機器本体の一具体例を示すテレビ本体２と、このテレビ本体２を支持するスタンド３と、テレビ本体２に着脱可能に取り付けられるカバープレート４等から構成されている。
【００１２】
プラズマディスプレイテレビ１のテレビ本体２は、プラズマディスプレイ組立体６と、このプラズマディスプレイ組立体６の前面側に取り付けられるフィルタガラス７及びフロントカバー８と、プラズマディスプレイ組立体６の背面側に取り付けられるシールドカバー９及びリアカバー１０等を備えて構成されている。これらプラズマディスプレイ組立体６等は、互いに前後方向に重ね合わされ、その重ね合せた状態で固定ねじ等の固着手段によりそれぞれ着脱可能に締付固定されて一体的に構成されている。
【００１３】
プラズマディスプレイ組立体６は、横長の長方形をなすプラズマディスプレイと、電源基板やその他の回路基板を有する駆動回路等からなり、プラズマディスプレイの背面側に駆動回路が組み立てられて一体的に構成されている。プラズマディスプレイは、発光デバイスであり、その発光原理から放射性電磁波が放射される（電磁波妨害）ことがあるため、それをシールドカバー等で電磁シールドして、外部へ漏らさないようにしている。
【００１４】
プラズマディスプレイ組立体６の駆動回路は、略中央部に配置されるチューナ及び映像回路基板１２と、図示しない電源基板及びパネル駆動回路基板等から構成されている。これら電源基板及び回路基板には、それぞれ必要とされる電子部品（マイクロコンピュータ、半導体素子、コンデンサ、抵抗その他）が搭載され、所定の電気回路が構成されている。そして、入出力部１４を介して外部装置と電気的に接続可能とされている。
【００１５】
更に、プラズマディスプレイ組立体６の背面には、２本のフレーム１５，１５が固定されている。２本のフレーム１５，１５は、プラズマディスプレイを支えるための背骨のようなものであり、左右方向に所定の間隔をあけて横並びに配置されている。各フレーム１５の長手方向の両端部には、プラズマディスプレイ組立体６に固定するための下脚片１５ａと、図示しない上脚片が設けられている。２本のフレーム１５，１５は、それぞれ上下方向に延在され、下脚片１５ａがプラズマディスプレイ組立体６の下部に固定ねじ等の固着手段によって固定され、同様に上脚片がプラズマディスプレイ組立体６の上部に同じく固定ねじ等の固着手段によって固定されている。
【００１６】
２本のフレーム１５，１５は同一のものであり、全体として断面形状が略四角形をなす中空の角柱体として構成されている。各フレーム１５の下脚片１５ａの根元部分には、スタンド装着部１６が設けられている。スタンド装着部１６は、その横断面形状が四角形とされていると共に下端部が下方に開口されていて、スタンド３の連結軸部１９ａが着脱可能に嵌合されるようになっている。このようなフレーム１５，１５は、十分に大きな強度を発揮できるように強度の大きな金属材料、例えば、鋼材等によって形成されている。
【００１７】
スタンド３は、床等の載置面に載置されるベース部材１８と、このベース部材１８の上面に水平方向へ回動可能に設けられた脚部材１９とから構成されている。ベース部材１８の上面の略中央部には、脚部材１９の中央部を回動自在に支持するための回動軸受部が設けられている。脚部材１９は、水平方向に延在された図示しないアーム部と、そのアーム部の長手方向の中間部において下方へ突出するように設けられた図示しない回動軸部と、アーム部の長手方向の両端において上方へ突出するように設けられた２つの連結軸部１９ａ，１９ａ（図２において一方のみを示す）とからなっている。そして、脚部材１９の回動軸部がベース部材１８の回動軸受部によって回動可能に保持されている。
【００１８】
２つの連結軸部１９ａ，１９ａは、２本のフレーム１５，１５の間隔と略等しい間隔をあけて水平方向に横並びに配置されている。この２つの連結軸部１９ａ，１９ａを２本のフレーム１５，１５の各スタンド装着部１６，１６にそれぞれ下方から嵌合することにより、プラズマディスプレイテレビ１がプラズマディスプレイを正面に向けて略垂直に立てた状態でスタンド３によって所定の高さに支持されている。
【００１９】
シールドカバー９は、プラズマディスプレイ組立体６の背面から側面に亘る部分を覆うことができる一面に開口された筐体からなり、背面部９ａと上面部９ｂと下面部９ｃと左右の側面部９ｄ，９ｅとを有している。シールドカバー９の材質としては、例えば、導電性に優れたアルミニウム合金や鉄等の金属が好適であるが、導電性を有するエンジニアリングプラスチック等であってもよい。このシールドカバー９の下面部９ｃを除く他の面部には、図示しないが、電磁波の漏洩のおそれのない大きさの穴や切欠きは必要な数だけ設けられているが、電磁波の漏洩のおそれのある大きさの穴や切欠きは設けられていない。これに対して、シールドカバー９の下面部９ｃには、２つの大きな切欠き２１Ａ，２１Ｂが設けられている。
【００２０】
２つの切欠き２１Ａ，２１Ｂは、プラズマディスプレイ組立体６に固定された２つのフレーム１５，１５のスタンド装着部１６と対応した位置に設けられている。２つの切欠き２１Ａ，２１Ｂは、シールドカバー９の背面部９ａの近傍から開口側に延在され、その開口部の側縁に達するように連続して、開口部に開口されている。これら切欠き２１Ａ，２１Ｂに２つのフレーム１５，１５のスタンド装着部１６がそれぞれ挿通される。
【００２１】
リアカバー１０は、シールドカバー９を含むプラズマディスプレイ組立体６の背面から側面に亘る部分の略全体を覆うことができる装飾性を兼ねた保護部材である。このリアカバー１０の材質としては、例えば、絶縁性に優れた適当な強度を有するエンジニアリングプラスチックが好適である。
【００２２】
プラズマディスプレイ組立体６のプラズマディスプレイの前面には、そのプラズマディスプレイと略同様の大きさ及び形状を有するフィルタガラス７が配置されている。フィルタガラス７には、その内面に導電性の電磁シールド部が設けられている。この電磁シールド部は、プラズマディスプレイや駆動回路から放射される電磁波をシールドして、不要な電磁波が外面側に漏洩するのを防止している。電磁シールド部としては、例えば、透明な導電膜或いは金属メッシュ部材を用いることができる。
【００２３】
フロントカバー８は、全体が長方形の枠体をなしており、フィルタガラス７の前面側の周囲を囲うように配置されている。このフロントカバー８の前面において、長手方向に延びる枠辺のうちスタンド３側の枠辺８ａには、カバープレート４を取り付けるための凹部３１が設けられている。この凹部３１は、枠辺８ａの長手方向に沿って延びる細長の長方形をなしており、枠辺８ａに連続して背面側に略垂直に突出する４つの側面部と、この４つの側面部に連続する底面部３１ａ等からなっている。
【００２４】
凹陥部３１の底面部３１ａには、長手方向に所定の間隔をあけて一対のスピーカ用窓３２，３２（図２において一方のみを示す）が設けられている。そして、底面部３１ａの背面側には、図示しない一対のスピーカ装置がその前面部をそれぞれ一対のスピーカ窓３２，３２から正面側に露出されるように配置され、固定ねじ等の固着手段により底板部３１ａに取り付けられている。なお、フロントカバー２４の材質としては、例えば、適当な強度を有するエンジニアリングプラスチックであってもよく、また、アルミニウム合金等の金属であってもよい。
【００２５】
図３〜図５に示すように、カバープレート４は、長尺状の可撓性を有する板材からなり、その大きさは、フロントカバー８の凹部３１に見合った大きさに設定されている。カバープレート４の材質としては、例えば、エンジニアリングプラスチックが好適であるが、アルミニウム合金その他の金属を用いることもできる。
【００２６】
カバープレート４の幅方向の両端には、格子状に形成された開口窓３５，３５が設けられていると共に、これら開口窓３５，３５の間でもある長手方向の中央部分に所定の間隔をあけて２つの把持部３６，３６が設けられている。把持部３６は、長方形の２つの角穴３７，３７を長手方向に横並びに設けることにより形成されており、カバープレート４をフロントパネル８の凹部３１に対して着脱する際に指で摘まんで把持する部分である。
【００２７】
本実施例では、把持部３６を２つの開口部を設けて形成したが、本発明に係る把持部としてはこれに限定されるものではなく、１つの開口部を設けて把持部を形成してもよく、また、３つ以上の開口部を設けて形成してもよい。更に、本発明に係る把持部は、開口部を設けて形成することに限定されるものではなく、例えば、凹陥部を１又は２以上設けて形成することができる。
【００２８】
図４に示すように、カバープレート４の背面には、そのカバープレート４をフロンパネル８の凹部３１に対して位置決めするためのボス部３８，３８と、カバープレート４を凹部３１に着脱可能に係合させるための複数の係合片３９（本実施例では６個）が設けられている。ボス部３８，３８は、それぞれ把持部３６，３６の略中央部に配置されており、各ボス部３８は、把持部３６に連続して略垂直に突出する台座３８ａと、台座３８ａに連続して突出する嵌合突起３８ｂとからなっている。台座３８ａ及び嵌合突起３８ｂは共に互いの中心軸が一致した円柱状をなしており、先端側である小径の嵌合突起３８ｂの直径が台座３８ａの直径よりも小さく設定されている。
【００２９】
図４に示すように、複数の係合片３９は、この実施例では、カバープレート４の四隅と、下辺の中途部の２箇所との合計６箇所に設けられている。図７に示すように、係合片３９は、カバープレート４の背面に連続して略垂直に立ち上がると共に弾性を有するアーム部４１と、このアーム部４１から側方へ突出するように形成された爪部４２とからなっている。
【００３０】
係合片３９の爪部４２は、先端側からアーム部４１の基部側に向かって順次大きくなるように傾斜した外側斜面部４２ａと、アーム部４１の基部側から先端側に向かって順次大きくなるように傾斜した内側斜面部４２ｂと、アーム部４１が延在する方向と交差する方向において把持部３６側の側面に向かって順次小さくなるように傾斜した側面斜面部４２ｃとを有している。
【００３１】
爪部４２の内側斜面部４２ｂは、カバープレート４をフロントカバー８の凹部３１に取り付けた状態において、凹部３１に設けられた後述する係合穴４６に当接される。また、後に詳しく説明するが、側面斜面部４２ｃは、カバープレート４をフロントカバー８の凹部３１から取り外す際に、凹部３１の係合穴４６から先に外れる側となる。即ち、これら内側斜面部４２ａ及び側面斜面部４２ｃにより、係合片３９の爪部４２が係合穴４６から容易に外れることが可能となり、カバープレート４を凹部３１から簡単に取り外すことができる。
【００３２】
このようなカバープレート４には、図６に示すように、弾性を有していて伸縮可能なネット部材４３が正面側全体を覆うように取り付けられている。このネット部材４３は、塵や埃等がテレビ本体の内部に侵入することを防止する役割の他、見た目を美しくして見映えを良くする等の役割も有している。このネット部材４３により、正面側から把持部３６，３６等を見えなくして意匠上の美感を高めるようにしている。このネット部材４３が取り付けられたカバープレート４は、図１に示すように、テレビ本体２のフロントカバー８に設けた凹部３１に着脱可能に取り付けられる。
【００３３】
また、フロントカバー８に設けた凹部３１の底面部３１ａには、カバープレート４の背面に設けた２つのボス部３８，３８及び複数の係合片３９に対応した位置に、それぞれ２つのボス穴４５，４５と、複数の係合穴４６（本実施例では６個）が設けられている。図１０及び図１１に示すように、係合穴４６は略長方形の角穴とされていて、背面側の縁部には、カバープレート４の係合片３９の爪部４２に設けた内側斜面部４２ｂに当接するための鍔部４６ａが設けられている。
【００３４】
図９に示すように、ボス穴４５は、凹部３１の底面部３１ａに設けられた貫通穴４７と、この貫通穴４７に取り付けられた弾性を有するブシュ４８からなっている。図８に示すように、ボス穴４５のブシュ４８は、ゴムや樹脂等の弾性を有する部材から形成されており、開口穴４８ａの一端が閉じられていて他端には外向きに展開されたフランジ部４９が設けられている。更に、ブシュ４８の外周面には、抜け止め用のリング部５０が設けられていると共に、内周面には、軸方向に延在された弾性突条５１が設けられている。この弾性突条５１により、ボス穴４５とボス部３８との嵌合状態が保たれるようになっている。即ち、ブシュ４８の開口穴４８ａにボス部３８の嵌合突起３８ｂが挿入されると、弾性突条５１が嵌合突起３８ｂにより押しつぶされて弾性変形する。これにより、嵌合突起３８ｂと弾性突条５１との間に摩擦抵抗を生じさせ、嵌合突起３８ｂを開口穴４８ａから抜け難くしている。
【００３５】
このような構成を有するプラズマディスプレイテレビ１は、例えば、次のようにして、カバープレート４をフロントカバー８の凹部３１に着脱することができる。先ず、カバープレート４を取り付ける場合にについて説明する。この場合は、先ず、カバープレート４の各ボス部３８を凹部３１の各ボス穴４５にそれぞれ嵌合させてカバープレート４を凹部３１に対して位置決めする。即ち、ボス部３８の嵌合突起３８ｂを凹部３１のブシュ４８の開口穴４８ａに対向させ、カバープレート４の正面側のボス部３８に対応した位置を押圧する。これにより、ボス部３８の嵌合突起３８ｂがボス穴４５のブシュ４８の開口穴４８ａに挿入され、ボス部３８の台座３８ａがブシュ４８のフランジ部４９に当接される。
【００３６】
このとき、嵌合突起３８ｂによって、ブシュ４８の開口穴４８ａに設けた弾性突条５１が弾性変形され、両者間に摩擦抵抗が生じるため、嵌合突起３８ｂをブシュ４８の開口穴４８ａから抜け難くすることができる。更に、ブシュ４８の弾性突条５１は、防振部材としての役割も有しており、テレビ本体２の内部に備えられたスピーカ装置等の振動がカバープレート４に伝達されるのを防止又は抑制している。カバープレート４を凹部３１に対して位置決めした状態においては、カバープレート４の複数の係合片３９が、凹部３１の係合穴４６の縁部にそれぞれ当接しているため、カバープレート４は、その幅方向の両端が凹部３１と反対側に反るように大きく撓んだ状態となっている。
【００３７】
続いて、カバープレート４の正面側の各係合片３９に対応した位置をそれぞれ押圧する。これにより、カバープレート４の各係合片３９が凹部３１の各係合穴４６に係合される。即ち、図１０に示すように、カバープレート４が正面側から押圧されると、その押圧力は、係合穴４６の縁部に当接している係合片３９の外側斜面部４２ａに伝わり、係合片３９のアーム部４１が基部を支点に撓み変形される。更に、カバープレート４を押圧すると、係合片３９は係合穴４６に挿通され、爪部４２が係合穴４６を通過したときに内側斜面部４２ｂが係合穴４６の鍔部４６ａに係合する。かくして、図１０に示すように、カバープレート４がフロントカバー８の凹部３１に取り付けられる。
【００３８】
次に、カバープレート４を取り外す場合について説明する。この場合は、先ず、カバープレート４の把持部３６，３６をネット部材４３の上から指で摘まむように把持する。この際、カバープレート４の正面側はネット部材４３で覆われているが、ネット部材４３が伸縮可能であるため、そのネット部材４３の上から把持部３６を把持することができる。次に、カバープレート４を外側に引っ張る。これにより、カバープレート４のボス部３８，３８が凹部３１のボス穴４５，４５から外れ、カバープレート４は、その幅方向の中間部が凹部３１と反対側に盛り上がるように大きく撓んだ状態となる。
【００３９】
続いて、更にカバープレート４を外側に引っ張る。このとき、先程と同様に各把持部３６を把持して引っ張ってもよいが、カバープレート４が撓んでその中間部が凹部３１と反対側に盛り上がっているため、直接カバープレート４を把持して引っ張ることも可能である。これにより、カバープレート４の撓み変形が各係合片３９に伝わり、各係合片３９は、凹部３１の各係合穴４６に対して把持部３６側から外れてカバープレート４が凹部３１から取り外される。
【００４０】
即ち、係合片３９の爪部４２には、把持部３６側の側面に側面斜面部４２ｃが形成されているため、その側面斜面部４２ｃが係合穴４６の鍔部４６ａを容易に乗り越えることができる。これと同時に、係合片３９のアーム部４１が基部を支点に撓み変形され、爪部４２の内側斜面部４２ｂが係合穴４６の鍔部４６ａを摺動するように乗り越える。これにより、比較的小さな力で係合片３９を係合穴４６から外すことができ、カバープレート４を凹部３１から簡単に取り外すことができる。
【００４１】
このような構成を有するプラズマディスプレイテレビ１によれば、カバープレート４の着脱をする際にテレビ本体２を分解する必要がなく、スタンド３によって支持された状態で作業を行うことができるため、作業工数の大幅な削減を図ることができると共に、作業スペースの省スペース化を実現することができる。しかも、カバープレート４の着脱作業には工具を必要としないため、作業性を向上することができる。
【００４２】
また、カバープレート４を取り外す際に把持する把持部３６，３６は、ネット部材４３により覆われて隠されているため、一般のユーザ等に把持部の存在を認識されることがない。これにより、カバープレート４が無闇に取り外されることを防止することができ、テレビ本体２の内部に悪影響をもたらす心配がない。
【００４３】
本実施例では、カバープレート４に係合片３９を６個設け、機器本体の開口部又は凹部に着脱可能に係合させる構成としたが、本発明に係る係合片としては、少なくとも２個あればよく、３個以上の係合片を設け、機器本体の開口部又は凹部に着脱可能に係合させる構成とすることができるものである。
【００４４】
また、本実施例では、カバープレート４にボス部３８を設け、フロントカバー８の凹部３１にボス穴４５を設ける構成としたが、本発明に係るボス部及びボス穴としては、カバープレート４にボス穴を設け、フロントカバー８の凹部３１にボス部を設ける構成としてもよい。更に、ボス部及びボス穴は、２組以上設けることが好適であるが、１組設ける構成としてもよい。
【００４５】
以上説明したように、本発明の電子機器によれば、伸縮可能なネット部材によって覆われたカバープレートの把持部をそのネット部材の上から把持して外側に引っ張るだけで、電子機器本体からカバープレートを簡単に取り外すことができ、工具等を使用せずに作業性の向上を図ることができる。しかも、カバープレートの把持部は、ネット部材によって隠されているため、ユーザー等によって無闇にカバープレートを取り外されることがなく、機器の内部に悪影響をもたらす心配がない。更に、カバープレートの着脱作業は、電子機器本体を設置した状態で行うことが可能であるため、電子機器の姿勢を変更することなく省スペースで作業を行うことができると共に、電子機器本体が傷つくこと防止することができる。
【００４６】
本発明は、前述しかつ図面に示した実施の形態に限定されるものではなく、その要旨を逸脱しない範囲内で種々の変形実施が可能である。例えば、前記実施例においては、電子機器としてプラズマディスプレイテレビを適用した例について説明したが、液晶ディスプレイテレビ、リアプロジェクションテレビ、その他の表示装置は勿論のこと、ステレオ装置、パーソナルコンピュータその他各種の電子機器に幅広く適用できるものである。
【図面の簡単な説明】
【００４７】
【図１】本発明の電子機器の第１の実施の例を示すプラズマディスプレイテレビを正面側から見た斜視図である。
【図２】図１に示すプラズマディスプレイテレビを背面側から見た分解斜視図である。
【図３】図１に示すプラズマディスプレイテレビに着脱可能に取り付けられるカバープレートの第１の実施の例を示す正面図である。
【図４】図３に示すカバープレートの背面図である。
【図５】図３に示すカバープレートの左側面図である。
【図６】図３に示すカバープレートを正面側から見た斜視図である。
【図７】図３に示すカバープレートの係合片を拡大して表した説明図である。
【図８】図１に示すプラズマディスプレイテレビに設けたボス穴を説明するための説明図である。
【図９】図１に示すプラズマディスプレイ装置のボス穴に、図３に示すカバープレートのボス部が嵌合した状態を断面して表す説明図である。
【図１０】図１に示すプラズマディスプレイ装置の係合穴に、図３に示すカバープレートの係合片が係合した状態を断面して表す説明図である。
【図１１】図１に示すプラズマディスプレイ装置の係合穴に、図３に示すカバープレートの係合片が係合した状態を背面側から見た説明図である。
【符号の説明】
【００４８】
１…プラズマディスプレイテレビ（電子機器）、  ２…テレビ本体（電子機器本体）、  ３…スタンド、  ４…カバープレート、  ６…プラズマディスプレイ組立体、  ８…フロントカバー、  １０…リアカバー、  ３１…凹部、  ３１ａ…底面部、  ３６…把持部、  ３８…ボス部、  ３８ａ…台座、  ３８ｂ…嵌合突起、  ３９…係合片、  ４１…アーム部、  ４２…爪部、  ４２ａ…外側斜面部、  ４２ｂ…内側斜面部、  ４２ｃ…側面斜面部、  ４３…ネット部材、  ４５…ボス穴、  ４６…係合穴、  ４６ａ…鍔部、  ４８…ブシュ、  ４８ａ…開口穴、  ４９…フランジ部、  ５１…弾性突条
【図１】
2007074570.tif 000003
【図２】
2007074570.tif 000004
【図３】
2007074570.tif 000005
【図４】
2007074570.tif 000006
【図５】
2007074570.tif 000007
【図６】
2007074570.tif 000008
【図７】
2007074570.tif 000009
【図８】
2007074570.tif 000010
【図９】
2007074570.tif 000011
【図１０】
2007074570.tif 000012
【図１１】
2007074570.tif 000013